(57)【特許請求の範囲】
【請求項１】
入力の検出を容易にするシステムであって、
ＩＲレーザースポットからレーザーラインを作成するＬＧオプティクに連結されるレーザーコンポーネントであって、前記レーザーコンポーネントおよび前記ＬＧオプティクはＩＲ光の平面を出射する、レーザーコンポーネントと、
前記ＩＲ光の平面により覆われる領域内のイメージの一部をキャプチャするカメラデバイスと、
前記カメラデバイスに連結され、前記出射されるＩＲ光の平面の遮断を検出するために可視光を遮断してＩＲ光を通すＩＲパスフィルターと、
前記カメラデバイスによりキャプチャされるイメージ上で検出される遮断に少なくとも部分的に基づき、前記出射されるＩＲ光の平面により覆われる領域内の遮断の位置と、大きさおよび形のうち少なくとも１つとを確定し、前記遮断の期間および前記遮断の動きの少なくとも１つを含む前記遮断の特徴を決定するイメージ処理コンポーネントと
を備えたことを特徴とするシステム。
【請求項２】
前記イメージ処理コンポーネントが、前記ＩＲ光の平面の遮断についての位置と、大きさおよび形のうち少なくとも１つとをディスプレイ上の対応する位置と、大きさおよび形のうち少なくとも１つとにマッピングすることを特徴とする請求項１に記載のシステム。
【請求項３】
前記ディスプレイは、モニタ、テレビ、ＬＣＤ、プラズマ、リアプロジェクションディスプレイ、フロントプロジェクションディスプレイ、ＣＲＴモニタ、フラットパネル、コンピューティングデバイス用のディスプレイ、ＰＤＡスクリーン、ラップトップディスプレイ、コンピューターモニタ、スマートフォンディスプレイ、セルラー・デバイス・スクリーン、モバイル通信デバイスディスプレイ、または携帯型ゲーム・デバイス・ディスプレイのうち少なくとも１つであることを特徴とする請求項２に記載のシステム。
【請求項４】
前記レーザーコンポーネントおよび前記ＬＧオプティクは、ほぼ平らな表面に対してほぼ平行に前記ＩＲ光の平面を伝送することを特徴とする請求項１に記載のシステム。
【請求項５】
前記ほぼ平らな表面は、ディスプレイ、机、テーブル、壁、テレビ、ラップトップ、床、天井、地面の断面、コンクリートの断面、木片、黒板、投影スクリーン、自動車のフロントガラス、自動車の窓、自動車のダッシュボード、デバイスに関連するほぼ平らな表面、車に関するほぼ平らな表面、または飛行機のトレーのうち少なくとも１つに関連することを特徴とする請求項４に記載のシステム。
【請求項６】
少なくとも１つのＬＧオプティクに連結される複数のレーザーコンポーネントであって、ほぼ平らな表面の領域を覆うＩＲ光の平面を出射するよう方向づけられる、レーザーコンポーネントをさらに備えたことを特徴とする請求項４に記載のシステム。
【請求項７】
前記イメージ処理コンポーネントが、前記ＩＲ光の平面内の前記検出される遮断をリアルタイムにトラッキングすることを特徴とする請求項１に記載のシステム。
【請求項８】
前記イメージ処理コンポーネントが、キャプチャされたイメージを前記ＩＲ光の平面内の遮断から受信して、イメージ処理技法を用いて、ディスプレイ上の対応する位置に前記遮断の形および大きさを再作成し、前記ディスプレイ上の前記対応する位置は、前記検出される遮断の位置を表すマッピングされた座標であることを特徴とする請求項１に記載のシステム。
【請求項９】
前記ＩＲ光の平面内の遮断が、物体による前記ＩＲ光の平面の一部の反射であり、前記遮断は、タッチイベント、ジェスチャ、動き、または物体のうち少なくとも１つにより生じることを特徴とする請求項１に記載のシステム。
【請求項１０】
前記レーザーコンポーネントまたは前記ＬＧオプティクのうち少なくとも１つにより生成されない、ＩＲ光の一部を補償するＩＲ変調コンポーネントをさらに備えたことを特徴とする請求項１に記載のシステム。
【請求項１１】
前記カメラデバイスが、
「ＯＦＦ」コマンド中、前記レーザーコンポーネントにより生成されない前記ＩＲ光の一部を含むＩＲ光の第１のコレクションと、
前記ＩＲ光の平面と、「ＯＮ」コマンド中、前記レーザーコンポーネントにより生成されないＩＲ光の一部とを含むＩＲ光の第２のコレクションと
をキャプチャする間、前記ＩＲ変調コンポーネントが、前記「ＯＦＦ」コマンドおよび前記「ＯＮ」コマンドのレーザーのシーケンスを制御することを特徴とする請求項１０に記載のシステム。
【請求項１２】
前記ＩＲ変調コンポーネントは、ＩＲ光の前記第２のコレクションおよびＩＲ光の前記第１のコレクションを差し引くことにより、前記レーザーコンポーネントにより生成されない前記ＩＲ光の一部を識別して、前記レーザーコンポーネントにより生成されない前記ＩＲ光の一部は、前記カメラデバイスからフィルターで除去されることを特徴とする請求項１１に記載のシステム。
【請求項１３】
データ入力またはデータインタラクションのうち少なくとも１つに対して前記ＩＲ光の平面内の遮断の前記確定された位置を活用するアプリケーションフレームワークをさらに備えたことを特徴とする請求項１に記載のシステム。
【請求項１４】
前記アプリケーションフレームワークは、ソフトウェアの一部、ハードウェアの一部、またはソフトウェアの一部およびハードウェアの一部の組み合わせのうち少なくとも１つを含み、データインタラクションを可能にするために、前記ＩＲ光の平面内の検出される遮断に関するデータの一部を受信することを特徴とする請求項１３に記載のシステム。
【請求項１５】
前記アプリケーションフレームワークは、前記ＩＲ光の平面内の前記キャプチャされた遮断によりタッチ検出が与えられるタッチセンシティブなスクリーンを有する表面コンピューティング技術を利用することを特徴とする請求項１４に記載のシステム。
【請求項１６】
ディスプレイとの複数のタッチインタラクションを可能にすることを容易にするコンピューターに実装される方法であって、
レーザー光の平面を生成および出射するステップと、
前記出射されるレーザー光の平面内の少なくとも１つの遮断の検出に関するデータの一部を受信するステップと、
前記出射されるレーザー光の平面内の遮断の位置を計算するステップと、
前記出射されるレーザー光の平面内の遮断の大きさおよび前記レーザー光の平面内の遮断の形のうち少なくとも１つを確定するステップと、
前記出射されるレーザー光の平面内の遮断の前記位置と、前記大きさおよび前記形のうち少なくとも１つとをディスプレイにマッピングするステップと
前記遮断の期間および前記遮断の動きの少なくとも１つを含む前記遮断の特徴を決定するステップと
を備えたことを特徴とする方法。
【請求項１７】
表面に対してほぼ平行に前記レーザー光の平面を出射するステップと、
前記レーザー光の平面内の少なくとも１つの遮断をリアルタイムにトラッキングするステップと
をさらに備えたことを特徴とする請求項１６に記載の方法。
【請求項１８】
アプリケーションフレームワークにより前記出射されるレーザー光の平面内の遮断の前記マッピングされた位置、大きさ、および形を受信するステップと、
前記アプリケーションフレームワークを利用して、前記出射されるレーザー光の平面内の遮断により検出される前記データ入力に基づき、データとのインタラクションを行うステップであって、前記アプリケーションフレームワークが少なくとも１つの表面コンピューティング技術を用いる、ステップと
をさらに備えたことを特徴とする請求項１７に記載の方法。
【請求項１９】
ディスプレイとの複数のタッチインタラクションを可能にすることを容易にするコンピューターに実装されるシステムであって、
表面に対してほぼ平行にＩＲ光の平面を出射する手段と、
前記ＩＲ光の平面内の少なくとも１つの遮断をリアルタイムにトラッキングする手段と、
前記出射されるＩＲ光の平面内の前記少なくとも１つの遮断の検出に関するデータの一部を受信する手段と、
前記出射されるＩＲ光の平面内の遮断の位置を計算する手段と、
前記出射されるＩＲ光の平面内の遮断の大きさおよび前記ＩＲ光の平面内の遮断の形のうち少なくとも１つを確定する手段と、
前記出射されるＩＲ光の平面内の遮断の前記位置と、前記大きさおよび前記形のうち少なくとも１つとをディスプレイにマッピングする手段と、
前記遮断の期間および前記遮断の動きの少なくとも１つを含む前記遮断の特徴を決定する手段と、
前記ＩＲ光の平面を出射する手段により生成されないＩＲ光の一部を除去する手段と、
前記ＩＲ光の平面内の遮断を利用して、データの一部とのインタラクションを行う手段と、
前記ＩＲ光の平面内の少なくとも１つの遮断の前記検出に関するデータの一部に関連して表面コンピューティング技術を用いる手段と
を備えたことを特徴とするシステム。
【請求項２０】
入力の検出を容易にするイメージ処理システムであって、
キャプチャされるイメージ上で検出される遮断に少なくとも部分的に基づき、ＩＲ光の平面により覆われる領域内の遮断の位置と、大きさおよび形の少なくとも１つとを確定し、前記遮断の期間および前記遮断の動きの少なくとも１つを含む前記遮断の特徴を決定するように構成され、
前記ＩＲ光の平面は、ＩＲレーザースポットからレーザーラインを作成するＬＧオプティクに連結されるレーザーコンポーネントおよび前記ＬＧオプティクによって出射され、
前記キャプチャされるイメージは、前記出射されるＩＲ光の平面の遮断を検出するために可視光を遮断してＩＲ光を通すＩＲパスフィルターと連結されるカメラデバイスによってキャプチャされ、前記ＩＲ光の平面により覆われる領域内のイメージの一部である
ことを特徴とするイメージ処理システム。
【発明の詳細な説明】
【背景技術】
【０００１】
コンピューティングデバイスは、技術性能が増大しており、そのようなデバイスは、限られたデバイス空間内に複数の機能を与えることができる。コンピューティングデバイスは、制限されないが、モバイル通信デバイス、デスクトップコンピューター、ラップトップ、携帯電話機、ＰＤＡ、ページャー、タブレット、メッセンジャーデバイス、ハンドヘルド、ポケットトランスレータ、バー・コード・スキャナー、スマートフォン、スキャナー、ポータブル・ハンドヘルド・スキャナー、およびデータインタラクションを可能にする他のあらゆるコンピューティングデバイスであるとすることができる。各デバイスが、ユーザーのために特定の機能を用いるが、デバイスは発展し続け、消費者のニーズに訴えるために、重複する機能性を与えている。言い換えれば、コンピューティングデバイスが、複数の特徴および／またはアプリケーションを組み込んだため、デバイスはお互いの機能性を侵害することとなった。例えば、携帯電話機は、セルラーサービス、電話帳、カレンダー、ゲーム、ボイスメール、ページング、ウェブブラウジング、ビデオキャプチャ、ビデオキャプチャ、音声メモ、音声認識、ハイエンドの携帯電話機（例えば、スマートフォンは、特徴および機能性において、ますます携帯型コンピューター／ラップトップと同様のものになりつつある）等を提供することができる。
【０００２】
結果として、パーソナルコンピューティングデバイスは、情報を入力するための様々な技術および／または方法を組み込むこととなった。パーソナルコンピューティングデバイスは、制限されないが、キーボード、キーパッド、タッチパッド、タッチスクリーン、スピーカ、スタイラスペン（例えば、ワンド）、ライティングパッド等であるデバイスを用いて、情報を入力することを容易にする。しかし、キーパッド、スピーカおよびライティングパッド等の入力デバイスは、各ユーザーがデータ入力の技術（例えば、音声、および／またはライティング）を同様に利用することができないという、ユーザーパーソナライゼーションの欠陥を生じる。例えば、アメリカでライティング認識を用いる消費者は、英語で書くことができるのに、別個のおよび／または異なる文字のバリエーションが存在する。
【０００３】
さらに、コンピューティングデバイスを利用して、このような上述の技術を介して入力されるデータまたはデータインタラクションを通信できる。例えば、ユーザーは、自分のコンピュータースクリーンを共有するために、他人がかなり似た情報および／またはインタラクションを見る／閲覧することを許可するデスクトップ共有アプリケーションを使用できる。別の例において、ラップトップをプロジェクタと共に使用して、会議中の個人のグループに対してデータを通信および／または表示することができる。さらに、ＰＤＡを表示装置（例えば、プロジェクタ、テレビ、フラットパネル、モニタ等）と共に使用して、デバイス、アプリケーション、ハードウェア等のレーザーの機能性を使用しながら、スライドショーを提供できる。加えて、コンピューティングデバイスを適用、またはコンピューティングデバイスを改造して、入力およびデータ共有技術を向上させることは、困難でありコスト的に危険を冒すことになり得る。
【発明の概要】
【０００４】
以下では、本明細書に記載されるいくつかの側面の基本的理解を提供するために、イノベーションを簡略化した要約を示す。この要約は、主張される主題の広範囲な概要ではない。主張される主題の重要または決定的な要素を確認することも、主題のイノベーションの範囲を明確にすることも意図していない。その唯一の目的は、後に示すさらに詳細な記載の前置きとして、主張される主題のいくつかの概念を簡略化した形式で示すことである。
【０００５】
主題のイノベーションは、データインタラクションに対する複数のタッチ検出の利用を容易にするシステムおよび／または方法に関する。特に、イメージ処理コンポーネントは、赤外（ＩＲ）光の平面に検出される遮断に関するデータの一部を受信することが可能であり、そのような遮断を、対応する位置、大きさ、および形を、ディプレイ上または投影されるイメージ上にマッピングするために、イメージ処理技法により分析できる。一般に、主題のイノベーションでは、出射されるＩＲ光の平面における少なくとも１つの遮断をキャプチャすることにより、ジェスチャ、タッチイベント、動き、および／または物体を、検出することが可能になる。レーザーコンポーネントは、例えば、ほぼ平らな表面にわたってＩＲ光の平面を伝送するために、ライン生成（ＬＧ）オプティクに連結できる。ＩＲ光の平面における遮断は、ＩＲパスフィルターに連結されるカメラデバイスにより、キャプチャまたは検出することができる。そのような遮断を、例としてディスプレイとのデータインタラクションの強化を可能にするために、イメージ処理コンポーネントにより受信して変換できる。
【０００６】
主題のイノベーションの別の側面に従うと、アプリケーションフレームワーク（例えば、プラグイン等）を用いて、イメージ処理コンポーネントを利用できる。アプリケーションフレームワークは、検出されキャプチャされたタッチイベント、ジェスチャ、動き等を活用して、データインタラクションの強化を可能にすることができる。例えば、アプリケーションフレームワークは、途切れの無い滑らかなデータ操作を可能にするために、表面コンピューティング技術を含むことができる。主張される主題の他の側面において、ＩＲ光の平面に検出される遮断に基づき、データの収集およびインタラクションに複数のレーザーを利用することを容易にする方法が提供される。
【０００７】
以下の記載および付属の図面では、主張される主題の特定の例示的な側面を詳細に記載する。これらの側面は、イノベーションの原理を用いることができる種々の方法のほんのいくつかを示すが、主張される主題は、全てのそのような側面およびそれと同等のものを含むことを意図する。主張される主題の他の利点および新規な特徴は、以下のイノベーションについての発明を実施するための形態から、図面と併せて検討する際に明らかになるであろう。
【図面の簡単な説明】
【０００８】
【図１】ディスプレイとの複数のタッチインタラクションを可能にすることを容易にする例示的なシステムのブロック図である。
【図２】ＩＲ光の平面に検出される遮断に基づいてデータの収集およびインタラクションのために複数のレーザーを利用することを容易にする例示的なシステムのブロック図である。
【図３】検出されるタッチイベントに従ってディスプレイとのデータインタラクションを提供することを容易にする例示的なシステムのブロック図である。
【図４】アプリケーションフレームワークによるデータの収集およびインタラクションのために少なくとも１つのＩＲ出射レーザーを利用することを容易にする例示的なシステムのブロック図である。
【図５】表面全体に投影されるＩＲ光の平面における遮断を検出することによって複数のタッチインタラクションを可能にすることを容易にする例示的なシステムのブロック図である。
【図６】主題のイノベーションに従って少なくともカメラデバイスおよびレーザーコンポーネントを使用して複数のインタラクションを検出することを容易にする例示的なシステムのブロック図である。
【図７】ＩＲ光の平面に検出される遮断に基づいてデータの収集およびインタラクションに少なくとも１つのレーザーを利用するための例示的な手順を示す図である。
【図８】アプリケーションフレームワークによるデータの収集およびインタラクションのために少なくとも１つのＩＲ出射レーザーを利用することを容易にする例示的な手順を示す図である。
【図９】主張される主題の新たな側面を用いることができる例示的なネットワーク環境を示す図である。
【図１０】主張される主題に従って用いることができる例示的な動作環境を示す図である。
【発明を実施するための形態】
【０００９】
主張される主題を、図面を参照して記載し、全体を通して同一の参照符号を同一の要素の参照に使用する。以下の記載において、説明の目的で、多数の特定の詳細を、主題のイノベーションの全体の理解を提供するために記載する。しかし、主張される主題が、これらの特定の詳細無しで実践され得ることは、明らかであろう。別の例において、公知の構造およびデバイスを、主題のイノベーションの記載を容易にするためにブロック図の形式において示す。
【００１０】
本明細書において利用されるような、用語「コンポーネント」、「システム」「データストア」「エンジン」、「レーザー」、「オプティク」、「カメラ」、「ディスプレイ」、「デバイス」等は、コンピューター関連のエンティティ、ハードウェア、ソフトウェア（例えば、実行中の）、および／またはファームウェアを参照することを意図する。例えば、コンポーネントは、プロセッサ上で稼働するプロセス、プロセッサ、オブジェクト、実行ファイル、プログラム、関数、ライブラリ、サブルーチン、および／またはコンピューターもしくはソフトウェアとハードウェアとの組み合わせとすることができる。実例として、サーバー上で稼働するアプリケーションも、そのサーバーも、コンポーネントとすることができる。１つまたは複数のコンポーネントを、１プロセス内に備えることが可能であり、コンポーネントは、１つのコンピューター上に配置、および／または２つ以上のコンピューター間に分散させることができる。
【００１１】
さらに、主張される主題は、ソフトウェア、ファームウェア、ハードウェア、またはそのあらゆる組み合わせを製造するための標準のプログラムおよび／またはエンジニアリング技術を使用する、方法、装置、または製造物として実装されて、コンピューターを制御し、開示される主題を実装してもよい。本明細書において使用される用語の「製造物」は、あらゆるコンピューター読み取り可能なデバイス、キャリア、または媒体からアクセス可能なコンピュータープログラムを包含することを意図する。例えば、コンピューター読み取り可能な媒体は、制限されないが、磁気記憶装置（例えば、ハードディスク、フロッピーディスク、磁気ストリップ．．．）、光ディスク（例えば、ＣＤ（ｃｏｍｐａｃｔ  ｄｉｓｋ）、ＤＶＤ（ｄｉｇｉｔａｌ  ｖｅｒｓａｔｉｌｅ  ｄｉｓｋ）．．．）、スマートカード、およびフラッシュ・メモリ・デバイス（例えば、カード、スティック、キードライブ．．．）を含むことができる。加えて、搬送波を用いて、例えば電子メールを送信および受信をするのに、または例えばインターネットもしくはローカル・エリア・ネットワーク（ＬＡＮ）のネットワークにアクセスするのに使用されるもの等のコンピューター読み取り可能な電子データを搬送できることを認識すべきである。もちろん、主張される主題の範囲または精神から逸脱することなく、この構成に多くの修正がなされ得ることを、当業者は、認識するであろう。さらに、単語「例示の」は、本明細書で使用して、例、事例、または例証としての役割を果たすことを意味する。本明細書において「例示」として記載されるあらゆる側面または設計は、他の側面または設計においては、必ずしも好ましいまたは利点のあるものとして解釈されるわけではない。
【００１２】
ここで、図面を参照して、図１は、ディスプレイとの複数のタッチインタラクションを可能にすることを容易にするシステム１００を示す。システム１００は、検出されるタッチイベントに基づきデータインタラクションを可能にすることができる、イメージ処理コンポーネント１０２を含むことができて、タッチイベントは、レーザーコンポーネント１０４からのＩＲ光をカメラデバイス１０８でトラッキングすることにより検出できる。一般に、システム１００は、レーザーコンポーネント１０４から伝送されるＩＲ光の平面における遮断を検出することにより、動き、ジェスチャ、入力、タッチイベント、物体等を検出できる。ＩＲ光の平面における遮断を、イメージ処理コンポーネント１０２によって評価できて処理できる。レーザーコンポーネント１０４から出射される光のそのような平面を、カメラデバイス１０８によりリアルタイムに監視できることは認識すべきである。ＩＲ光の平面に検出される遮断に少なくとも部分的に基づき、イメージ処理コンポーネント１０２は、遮断を、データインタラクションで利用されるように、対応する位置、形、大きさ等に変換できる。特に、レーザーコンポーネント１０４は、ライン生成（ＬＧ）オプティク１０６に連結され、レーザースポットからレーザーラインを作成できる。ＬＧオプティク１０６およびレーザーコンポーネント１０４は、光の平面を出射することが可能であり、光の平面における遮断は、カメラデバイス１０８およびイメージ処理コンポーネント１０２により、それぞれ検出および処理することができる。カメラデバイス１０８は、可視光を遮断してＩＲ光を通すためにＩＲパスフィルター１１０を含むことができることを認識すべきである。
【００１３】
システム１００を、例えば、制限されないが、ジェスチャ、手の動き、手によるインタラクション、物体によるインタラクション、および／またはＩＲ光の平面を遮断することができる他のあらゆる適切な実体的な物体等のタッチイベントをキャプチャするために利用できる。例えば、出射されるＩＲ光の平面を遮断する、手によるインタラクションは、ディスプレイ上での対応するデータインタラクションに変換されるように、システム１００によりリアルタイムで検出できる。したがって、タッチイベント検出は、ＬＧオプティク１０６を有するレーザーコンポーネント１０４と、ＩＲパスフィルター１１０を有するカメラデバイス１０８と、イメージ処理コンポーネント１０２との構成により、実施できる。タッチイベントは、レーザーコンポーネント１０４により出射されるＩＲ光の平面のあらゆる適切な遮断とすることができ、遮断は、ＬＧオプティク１０６およびレーザーコンポーネント１０４から出射される光の平面の一部が妨害されたものであることを認識すべきである。さらに、システム１００が、タッチイベント検出を提供するための、コンパクトで、サイズ効率が良く、コスト効率の良い、レガシーなデバイス適合性のある解決策であることを認識すべきである。
【００１４】
例として、ＩＲ光の平面は、物体により遮断されることがある。そのような遮断の検出に基づき、イメージ処理コンポーネント１０２は、位置、大きさ、形、遮断の特徴（例えば、トラッキング、期間等）等を識別するためにデータを分析できる。イメージ処理コンポーネント１０２は、そのようなデータを、例えば、ディスプレイ上の対応する位置に変換できる。ディスプレイ（例えば、以下でより詳細に検討するもの）は、さらに、ＩＲ光の平面における遮断の原因となった物体の対応する形および／または大きさをレンダリングすることができる。例えば、スライドのプレゼンテーションを表示し、発表者は、システム１００で（例えば、手の動きがキャプチャされディスプレイに対して変換される、等）、そのようなデータとインタラクションを行うことができる（例えば、情報をハイライトする、ジェスチャでスライドを交換する、アプリケーションを開く、タッチスクリーンで入力する、等）。別の例において、ユーザーの机の表面に、平行に出射されるＩＲ光の平面を有すようにして、机の表面をデータ入力またはタッチイベント検出のための領域に変換できる。したがって、机の表面からのＩＲ光の平面における遮断を、例えば、モニタまたはディスプレイ上のデータに対するデータインタラクションに利用できる。別の例において、システム１００は、ＩＲ光の平面がモニタのスクリーンまたは表面に対して平行に出射されることが可能なモニタと共に、実装できる。そのような遮断の検出を、イメージ処理コンポーネント１０２により、表示されるあらゆるデータに対応するよう変換できる。
【００１５】
システム１００は、レーザーコンポーネント１０４から生成されるＩＲ光を利用するものとして検討されるが、あらゆる適切な光源またはレーザーコンポーネント１０４を用いて、遮断されることがある光の平面を生成できる（例えば、光の平面における遮断を利用して動きを検出できる）ことは認識されるべきである。例えば、十分に明るい赤色レーザー（例えば、緑色レーザーおよび／または色を問わず他のあらゆる適切なレーザー）、および／または十分に暗い部屋を使用して、動き検出を可能にするそのような光源における遮断を検出および／または識別することができる。可視レーザー光または光源は、ユーザーにとっては目をそらすようなものであり得るが、光の平面がほぼ平行でかつ表面より上にある場合、有用なフィードバックをさらに提供することができる。さらに、光の平面は、ディスプレイの表面より上でディスプレイの表面から離すことができる（例えば、レーザー光または光源の波長を問わずに）。例えば、そのような例は、ゲーム、オンラインゲーム、コンソールゲーム等で利用できる。
【００１６】
加えて、システム１００は、適切なおよび／または必要なあらゆるインターフェースコンポーネント（図示せず）を含めることができ、それにより、種々のアダプタ、コネクタ、チャネル、通信路等を提供して、イメージ処理コンポーネント１０２、レーザーコンポーネント１０４、ＬＧオプティク１０６、カメラデバイス１０８、および／またはＩＲパスフィルター１１０を、あらゆる動作システムおよび／またはデータベースシステムに実質的に統合し、および／またはお互いに統合する。加えて、インターフェースコンポーネントは、種々のアダプタ、コネクタ、チャネル、通信路等を提供することが可能であり、これらにより、イメージ処理コンポーネント１０２、レーザーコンポーネント１０４、ＬＧオプティク１０６、カメラデバイス１０８、および／またはＩＲパスフィルター１１０、ならびにシステム１００に関連する他のあらゆるデバイスおよび／またはコンポーネントとのインタラクションを提供する。
【００１７】
図２は、ＩＲ光の平面に検出される遮断に基づき、データの収集およびインタラクションに複数のレーザーを利用することと容易にするシステム２００を示す。システム２００は、伝送されるＩＲ光の平面に検出される遮断に関連する位置を確定することが可能なイメージ処理コンポーネント１０２を含むことができる。イメージ処理コンポーネント１０２は、ＩＲ光の平面の遮断の位置をデータインタラクションのための対応する位置に変換できる。検討したように、ＩＲ光の平面における遮断は、ＩＲパスフィルター１１０を使用するカメラデバイス１０８で検出できる。さらに、カメラデバイス１０２を、ＩＲ光に関連するイメージおよび／またはデータをキャプチャすることが可能なあらゆる適切なイメージデバイスとすることができることを認識すべきである。例えば、カメラデバイス１０８は、カメラ、ビデオカメラ、ＩＲカメラ、ＩＲビデオカメラ、ウェブカメラ、カメラ付きスマートフォン、および／またはカメラの能力を備える他のあらゆる適切なデバイスとすることができる。
【００１８】
ＩＲ光の平面は、例えば、レーザーコンポーネント１からレーザーコンポーネントＮまで等の、ただし、Ｎは正の整数、あらゆる適切な数のレーザーコンポーネント２０２により生成できる。さらに、レーザーコンポーネントの数が増えることで、ＩＲ光の平面に対してより大きな表面領域の対象範囲を提供することでき、それによりタッチイベント検出の強化が可能になることは理解すべきである。図示するように、各レーザーコンポーネント２０２は、それぞれのＬＧオプティクを含み、さらに、あらゆる適切な数のＬＧオプティクが使用できる（例えば、２つ以上のレーザーコンポーネントが単一のＬＧオプティクを共有できる等）ことを認識および理解すべきである。例えば、正方形として形成されるほぼ平らな表面上の一構成において、第１のレーザーコンポーネントを、第１の角（例えば、北西の角）に配置し、および第２のレーザーコンポーネントを第２の角（例えば、北東の角）に配置して、ＩＲ光の平面を、表面に平行に投影することを可能にする。別の例において、正方形に形成される表面は、より大きな表面領域の対象範囲を提供するために（例えば、より大きなＩＲ光の平面が、正方形に形成された表面の表面領域を覆う）、各角にレーザーコンポーネントを含むことができる。
【００１９】
特定の例において、カメラデバイス１０８は、投影面（例えば、ＩＲ光の平面を平行に投影可能な表面）の上方に取り付けできる。少なくとも１つのレーザーコンポーネントおよびそれぞれのＬＧオプティクは、投影面上に取り付けて、そこから出射される光の平面が、投影される表面に対して平行になるようにすることができる。言い換えれば、レーザーコンポーネントは、ＬＧオプティク（複数の）からの赤外光が、投影面を覆う赤外光の平面を形成するように、方向づけて置かれる。投影面からＩＲ光の平面までの高さを、意図される使用またはデータインタラクションに対する選択に基づいて調整できることを認識すべきである。
【００２０】
システム２００は、イメージ処理コンポーネント１０２、少なくとも１つのレーザーコンポーネント２０２、ＬＧオプティク、カメラデバイス１０８、ＩＲパスフィルター１１０等に関するあらゆる適切なデータを含むことが可能なデータストア２０４を、さらに含むことができる。例えば、データストア２０４は、制限されないが、レーザーコンポーネント構成設定、カメラデバイス構成設定、レーザーコンポーネント方向設定、レーザーコンポーネント方向定義、ユーザー選択、ユーザーパスワード、ユーザー名、マッピング、イメージ処理データ、遮断検出データ、遮断の検出に関する感度設定、位置データ、ＩＲ感度設定、ＩＲ光の平面における遮断の原因に関するサイズデータ、ＩＲ光の平面における遮断の原因に関する形状データ、イメージ処理技法、イメージ処理データ、イメージ・トラッキング・データ、２値化データ、ＩＲ変調データ、ＬＧオプティク設定（例えば、拡張サイズ、強度等）、表面領域データ（例えば、表面の大きさ、表面の位置、表面のタイプ、等）、ジェスチャ、動き、アプリケーションフレームワークデータ等を含むことができる。
【００２１】
データストア２０４は、例えば、揮発性メモリか不揮発性メモリかのいずれかとすることができて、または揮発性メモリ不揮発性メモリいずれも含むことができることを認識すべきである。実例として、制限としてではなく、不揮発性メモリは、ＲＯＭ（ｒｅａｄ  ｏｎｌｙ  ｍｅｍｏｒｙ）、ＰＲＯＭ（ｐｒｏｇｒａｍｍａｂｌｅ  ＲＯＭ）、ＥＰＲＯＭ（ｅｌｅｃｔｒｉｃａｌｌｙ  ｐｒｏｇｒａｍｍａｂｌｅ  ＲＯＭ）、ＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）、またはフラッシュメモリを含むことができる。揮発性メモリは、ＲＡＭ（ｒａｎｄｏｍ  ａｃｃｅｓｓ  ｍｅｍｏｒｙ）を含むことができ、これは外部キャッシュメモリとして動作する。実例として制限としてではなく、ＲＡＭは、ＳＲＡＭ（ｓｔａｔｉｃ  ＲＡＭ）、ＤＲＡＭ（ｄｙｎａｍｉｃ  ＲＡＭ）、ＳＤＲＡＭ（ｓｙｎｃｈｒｏｎｏｕｓ  ＤＲＡＭ）、ＤＤＲ  ＳＤＲＡＭ（ｄｏｕｂｌｅ  ｄａｔａ  ｒａｔｅ  ＳＤＲＡＭ）、ＥＳＤＲＡＭ（ｅｎｈａｎｃｅｄ  ＳＤＲＡＭ）、ＳＬＤＲＡＭ（Ｓｙｎｃｈｌｉｎｋ  ＤＲＡＭ）、ＲＤＲＡＭ（Ｒａｍｂｕｓ  ｄｉｒｅｃｔ  ＲＡＭ）、ＤＲＤＲＡＭ（ｄｉｒｅｃｔ  Ｒａｍｂｕｓ  ｄｙｎａｍｉｃ  ＲＡＭ）、およびＲＤＲＡＭ（Ｒａｍｂｕｓ  ｄｙｎａｍｉｃ  ＲＡＭ）等の多くの形において利用できる。主題のシステムおよび方法のデータストア２０４は、制限されることなしに、これらおよび他のあらゆる適切なタイプのメモリを備えることが意図される。加えて、データストア２０４は、サーバー、データベース、ハードドライブ、ペンドライブ、外部ハードドライブ、ポータブルハードドライブ等とすることができることを認識すべきである。
【００２２】
図３は、検出されるタッチイベントに従って、ディスプレイとのデータインタラクションを提供することを容易にするシステム３００を示す。システム３００は、データインタラクションで使用するためのＩＲ光の平面に検出される遮断に関するあらゆる適切なデータを受信することができるイメージ処理コンポーネント１０２を含むことができる。特に、レーザーコンポーネント１０４から（ＬＧオプティク１０６を用いて）伝送されるＩＲ光の平面を遮断するタッチイベント（例えば、物体、ジェスチャ、動き、手、実体的な物体等）は、カメラデバイス１０８により（ＩＲパスフィルター１１０を用いて）検出できる。さらに、システム３００は、データインタラクションを提供するためにタッチイベントをリアルタイムでトラッキングできることを認識するべきである。例えば、ＩＲ光の平面における遮断を、それに関する遮断および動きのリアルタイムのビデオを提供するように、システム３００によって監視できて、検出できる。
【００２３】
イメージ処理コンポーネント１０２は、あらゆる適切なイメージ処理技術を利用して、キャプチャされたイメージ（例えば、カメラデバイス１０８およびＩＲパスフィルター１１０から）を、ディスプレイ３０２上の投影されたイメージと整列させることができる。例えば、キャプチャされたイメージ内の点を決定することが可能であり（例えば、遮断の位置、遮断の形、遮断の大きさ等）、および／またはディスプレイ３０２上の投影されたイメージ内の対応する点を計算できる。別の例においては、ユーザーの手または指を、ＩＲ光の平面が平行に投影される表面上に置くことができる。この例では、指または手は、ＩＲ光の一部を捕らえる（例えば、ＩＲ光の平面を遮断する）ことが可能であり、この部分を、カメラデバイス１０８により明るい部位としてキャプチャすることができる（例えば、ＩＲパスフィルター１１０を利用して）。明るい部位のそのような部分を、イメージ処理コンポーネント１０２によりトラッキングされる物体として検出できる。例えば、イメージ処理コンポーネント１０２は、２値化、イメージ分析、キャプチャされたイメージの分析等を用いることができる。さらに、ディスプレイ３０２は、あらゆる適切なディスプレイコンポーネント、制限されないが、例えば、モニタ、テレビ、液晶ディスプレイ（ＬＣＤ）、プラズマ、リアプロジェクションディスプレイ、フロントプロジェクションディスプレイ、陰極線管（ＣＲＴ）モニタ、フラットパネル、コンピューティングデバイスのディスプレイ、携帯情報端末（ＰＤＡ）スクリーン、ラップトップディスプレイ、コンピューターモニタ、スマートフォンディスプレイ、セルラー・デバイス・スクリーン、モバイル通信デバイスディスプレイ、携帯型ゲーム・デバイス・ディスプレイ等とすることができることを認識すべきである。
【００２４】
図４は、アプリケーションフレームワークを用いて、データの収集およびインタラクションに少なくとも１つのＩＲ出射レーザーを利用すること容易にするシステム４００を示す。システム４００は、ＩＲ光の平面の検出される遮断をディスプレイ３０２上の対応する位置、大きさ、および形に変換させることを可能にするイメージ処理コンポーネント１０２を含むことができる。特に、レーザーコンポーネント１０４は、ＬＧオプティク１０６に連結されて、ＩＲ光の平面を生成できる。ＩＲ光のそのような平面の遮断また分断（例えば、ＩＲ光の平面の一部を反射する物体等）は、カメラデバイス１０８によりＩＲパスフィルター１１０を利用して検出できる。
【００２５】
ＩＲ光の平面の遮断の、マッピング、変換、ならびに、対応する大きさ、形、および／または位置は、ディスプレイ３０２と共に利用され得る。例えば、動き、ジェスチャ、および／または物体は、システム３００により検出可能であり、そのような動き、ジェスチャおよび／または物体を、ディスプレイ３０２に表示および／または再現できる。特に、スタイラスペンは、書く際にＩＲ光の平面を遮断して、そのときシステム３００は、そのような動きをＩＲ光の平面の遮断に基づき検出およびトラッキング可能であり、そのような動きをディスプレイ３０２上にレンダリングすることができる。さらにその上、個々の動きまたはジェスチャの検出により、関数または出力を起動できる。例として、例えばクエスチョンマークを書くこと等の検出される動きによって、ヘルプの機能またはアプリケーションを起動できる。
【００２６】
検出されるタッチイベントを（例えば、動き、ジェスチャ、物体等を）、あらゆる適切なコンポーネント、デバイス、アプリケーション、ソフトウェア、ハードウェア等に関連して利用できることを認識するべきであり、理解するべきである。特に、検出されるタッチイベントを、アプリケーションフレームワーク４０２によって利用できる。例として、アプリケーションフレームワーク４０２は、データ（例えば、イメージ、アイコン、ファイル、ビデオ、音声クリップ、データ等）とのインタラクションを可能にする表面コンピューティングに関連するソフトウェアを含むことができる。表面コンピューティングソフトウェアは、動きおよび／またはジェスチャに、制限されないが、ズーミング、パニング、ストレッチング等の機能を制御させることを可能にする。さらにその上、表面コンピューティングアプリケーションは、別個の形または物体（例えば、定義された大きさの検出された矩形上で再生されるビデオ、携帯電話機の検出されたイメージ、検出の特定パターン上に表示されるイメージ等）で認識できる。一般に、表面コンポーネントは、専門的なコンピューターグラフィックユーザーインターフェース（ＧＵＩ）を用いるソフトウェアおよび／またはハードウェアの一部とすることができる。例えば、ユーザーは、タッチイベント検出がシステム４００によりキャプチャされる、タッチセンシティブなスクリーンまたはディスプレイと直接インタラクションを行うことができる。別の例において、アプリケーションフレームワーク４０２は、データをユーザーの手でつかませることが可能であり、そのような情報をオブジェクト間で自然なジェスチャおよびタッチで移動させるデジタルコンテンツインタラクションに関するソフトウェアを含むことができる。特に、卓上ディスプレイを、システム４００と共に、検出されるタッチイベントと結び付けて利用して、データとの途切れの無いインタラクションを可能にすることができる。
【００２７】
図５は、表面全体に投影されるＩＲ光の平面における遮断を検出することにより、複数のタッチインタラクションを可能にすることを容易にする、システム５００を示す。システム５００は、ＬＧオプティク１０６を利用してレーザーコンポーネント１０４から出射されるＩＲ光の平面を遮断するリアルタイムのタッチイベントを検出可能な、イメージ処理コンポーネント１０２を含むことができる。特に、ＩＲ光の平面は、表面５０２に対して平行に投影され、ＩＲ光のそのような平面における遮断を、ＩＲパスフィルター１１０を利用してカメラデバイス１０８により検出できる。ＩＲ光の平面を遮断する物体に基づき、ＩＲ光が検出され、それにより、カメラデバイス１０８およびＩＲパスフィルター１１０がそのようなタッチイベントをキャプチャすることが可能にされる（例えば、動き、ジェスチャ、ＩＲ光における遮断等）。表面５０２は、あらゆるほぼ平らな表面、制限されないが、例えば、机、テーブル、壁、ディスプレイ、テレビ、ラップトップ、床、天井、地面の断面、コンクリートの断面、木片、黒板、投影スクリーン、自動車のフロントガラス、自動車の窓、自動車のダッシュボード、デバイスに関連するほぼ平らな表面、車に関するほぼ平らな表面（例えば、自動車、トラック、オフロードカー（ＡＴＶ）、オートバイ、モペット、スクータ等）、飛行機のトレー等とすることができることを認識すべきである。一般に、主題のイノベーションを種々のありふれた表面で利用して、検出されるタッチイベントを介したデータインタラクションを可能にすることができる。さらに別の例において、システム５００は、表面５０２（例えば、レーザーコンポーネント１０４および／またはＬＧオプティク１０６は、机に埋め込まれる等）に組み込むことができる。
【００２８】
タッチイベント検出システム５００は、レーザーコンポーネント１０４および／またはＬＧオプティク１０６に対して種々の設定をさらに利用することができる。例えば、レーザーコンポーネント１０４の拡張サイズは、ＩＲ光の平面が覆うべき表面５０２の領域に少なくとも部分的に基づいて、調整できる。より大きな拡張サイズ（例えば、より大きな対象範囲の角度）により、表面５０２のより大きな角度が覆われるが、その区域が狭まる。より小さな拡張サイズにより、表面５０２の角度のある（例えば、円錐形状の）対象範囲が制限されるが、その区域が広がる（例えば、レーザーからの距離）。レーザーコンポーネント１０４に対する設定にあらゆる適切な調整を利用できることは認識されるべきである。
【００２９】
システム５００は、レーザーコンポーネント１０４および／またはＬＧオプティク１０６により生成されないＩＲ光を補償するために、ＩＲ変調コンポーネント５０４をさらに含むことができる。レーザーコンポーネント１０４および／またはＬＧオプティク１０６により生成されないＩＲ光は、例えば、昼光、定常光、白色光、ハロゲンライト等とすることができる。このＩＲ光を補償または除去するために、ＩＲ変調コンポーネント５０４は、レーザーコンポーネント１０４を「ＯＮ」および「ＯＦＦ」することができ、複数のイメージが、レーザーコンポーネント１０４がＯＮおよびＯＦＦの状態のイメージの対を含む。言い換えれば、１つのイメージが定常光を有し（例えば、カメラデバイス１０８およびレーザーコンポーネント１０４が「ＯＦＦ」の状態のときに検出されるもので、第１のコレクションとも称する）、他方のイメージが、定常光に加えてＩＲ生成光を有する（例えば、カメラデバイス１０８およびレーザーコンポーネント１０４が「ＯＮ」の状態のときに検出されるもので、第２のコレクションとも称する）。これらの２つのイメージを取り去って（例えば、第２のコレクションと共に取り去られる第１のコレクション）、検出から定常光を取り除くことができる。これは、レーザーコンポーネント１０４および／またはＬＧオプティク１０６により生成されない定常光のまたは屈折されたＩＲ光を補償するために、フィルターまたはスクリーンとして利用できる。
【００３０】
図６は、主題のイノベーションに従って、少なくともカメラデバイスおよびレーザーコンポーネントを使用して複数のインタラクションを検出することを容易にするための、インテリジェンスを用いるシステム６００を示す。システム６００は、先行する図面において説明したそれぞれのコンポーネント、オプティク、デバイス、およびフィルターとほぼ同様である、イメージ処理コンポーネント１０２、レーザーコンポーネント１０４、ＬＧオプティク１０６、カメラデバイス１０８、およびＩＲパスフィルター１１０を含むことができる。システム６００は、インテリジェントコンポーネント６０２をさらに含むことができる。インテリジェントコンポーネント６０２を、イメージ処理コンポーネント１０２が利用して、システム６００の構成を利用したタッチイベントの検出を容易にすることができる。例えば、インテリジェントコンポーネント６０２は、ＩＲ光の平面の遮断の位置、ＩＲ光平面における遮断に関する大きさ、ＩＲ光平面における遮断に関する形、ＩＲ光の平面におけるタッチイベントに関するトラッキング、ユーザー選択、ＬＧオプティク１０６の設定、カメラデバイス１０８の方向、レーザーコンポーネント１０４の方向、ディスプレイに関する設定、変調の周波数／設定、定常光検出、ジェスチャ評価、動き評価、タッチイベント予測等を推論できる。
【００３１】
インテリジェントコンポーネント６０２は、ＩＲ光の平面における遮断およびそれに関連する特徴（例えば、大きさ、位置、形等）を識別するために、情報価値（ＶＯＩ）計算を用いることができる。例えば、ＶＯＩ計算を利用することにより、最も理想的なおよび／または適切な遮断の検出またはタッチイベントを、識別および利用できる（例えば、第１のデータインタラクションに関連する第１のタッチイベントを、第２のデータインタラクションに関連する第２のタッチイベントに比較して優先度を低くすることができる等）。さらに、インテリジェントコンポーネント６０２は、イベントおよび／またはデータを介してキャプチャされるような観察結果の組から、システム、環境、および／またはユーザーについて、推論に備える、または状態を推論することができることを理解すべきである。推論を利用して、例えば、特定のコンテキストまたは動作を識別することが可能であり、または状態全体の確立分布を生成できる。推論は、確率的なものであり、すなわち、データおよびイベントを考慮したことに基づく、対象の状態全体の確立分布の計算である。さらに、推論は、イベントおよび／またはデータの組から高レベルのイベントを構成するために用いる技術を引用できる。そのような推論により、観察されたイベントおよび／または記憶されるイベントデータの組から、そのイベントに時間的に密接に近接した相互関係があるかどうかに関わらず、およびそのイベントおよびデータが、１つまたは数個のイベントソースおよびデータソースによるものなのかどうかに関わらず、新しいイベントまたは動作が構築されることになる。種々の分類（明示的および／または暗示的に訓練される）スキームおよび／またはシステム（例えば、サポートベクトルマシン、ニューラルネットワーク、エキスパートシステム、ベイジアン信念ネットワーク、ファジー理論、データ融合エンジン．．．）を、主張される主題に関連して自動的なおよび／または推論される動作を実行することに関連して、用いることができる。
【００３２】
分類子は、入力属性ベクトル、ｘ＝（ｘｌ，ｘ２，ｘ３，ｘ４，ｘｎ）を、その入力がクラス（ｃｌａｓｓ）に属するという信頼度（ｃｏｎｆｉｄｅｎｃｅ）、すなわち、ｆ（ｘ）＝ｃｏｎｆｉｄｅｎｃｅ（ｃｌａｓｓ）にマッピングする関数である。そのような分類は、確立的なおよび／または統計的なベースの分類を用いて（例えば、分析ユーティリティおよびコストに組み入れて）、ユーザーが自動的に実行されることを望む動作を予知または推論することができる。サポートベクトルマシン（ＳＶＭ）は、用いることができる分類子の一例である。ＳＶＭは、可能性のある入力の空間内の超曲面を見つけることにより作動し、その超曲面は、トリガする基準を非トリガのイベントから分離することを試みる。直観的に、このことは、訓練データに似ているが同一ではないテストデータに対して、分類を正しいものにする。他の有向および無向のモデル分類のアプローチは、独立性の異なるパターンを用いることができる場合、例えば、ナイーブベイズ、ベイジアンネットワーク、決定木、ニューラルネットワーク、ファジー理論モデル、および確率的分類モデルを含むことができる。さらに本明細書において使用される分類は、優先度のモデルを開発するために利用される統計的回帰を含める。
【００３３】
さらに、イメージ処理コンポーネント１０２は、種々のタイプのユーザーインターフェースを提供してユーザーとイメージ処理コンポーネント１０２に連結されるあらゆるコンポーネントとの間のインタラクションを容易にするプレゼンテーションコンポーネント６０４を利用できる。図示するように、プレゼンテーションコンポーネント６０４は、イメージ処理コンポーネント１０２で利用可能な、分離されたエンティティである。しかし、プレゼンテーションコンポーネント６０４および／または同様のビューコンポーネントがイメージ処理コンポーネント１０２および／またはスタンドアロンの装置に組み込むことができることを認識すべきである。プレゼンテーションコンポーネント６０４は、１つまたは複数のグラフィカルユーザーインターフェース（ＧＵＩ）、コマンドラインインターフェース等を提供できる。例えば、ユーザーにデータをロード、インポート、読み込み等するための領域または手段を提供可能であり、その結果を提供する領域を含むことができる、ＧＵＩがレンダリングされる。これらの領域は、既知のテキストの領域、および／またはダイアログボックス、スタティック制御、ドロップダウンメニュー、リストボックス、ポップアップメニュー、編集制御として、コンボボックス、ラジオボタン、チェックボックス、プッシュボタン、およびグラフィックボックスを備えるグラフィックの領域を備えることができる。加えて、ナビゲーション用の垂直および／または水平スクロールバーやツールバーボタン等の表示を容易にして、ある領域を可視化するかどうかを決めるためのユーティリティを、用いることができる。例えば、ユーザーは、イメージ処理コンポーネント１０２に連結されるおよび／または組み込まれる、１つまたは複数のコンポーネントとインタラクションすることができる。加えて、プレゼンテーションコンポーネント６０４が、表面コンピューティング（ｓｕｒｆａｃｅ  ｃｏｍｐｕｔｉｎｇ）ソフトウェア、ハードウェア、および／またはそのあらゆる適切な組み合わせを用いることができることは認識すべきである。
【００３４】
さらにユーザーは、領域とのインタラクションを行って、種々のデバイス、例えば、マウス、ローラボール、タッチバッド、キーパッド、キーボード、タッチスクリーン、ペン、および／または音声駆動、身体動作検出等を介して、情報を選択および提供することもできる。通常、プッシュボタンまたはキーボード上のエンターキー等のメカニズムは、検索を開始するために情報を入力した後に、用いることができる。しかし、主張される主題はそのように限定されないことは認識すべきである。例えば、単にチェックボックスをハイライトにするだけで、情報の伝達を開始することができる。別の例において、コマンドラインインターフェースを用いることができる。例えば、コマンドラインインターフェースは、（例えば、ディスプレイ上のテキストメッセージおよび音声トーンを介して）テキストメッセージの提供を介してユーザーに情報の入力を促すことができる。ユーザーは次に、インターフェースプロンプトに与えられる選択肢に対応する英数字の入力、またはプロンプトに示される質問に対する応答、等の適切な情報を与えることができる。コマンドラインインターフェースを、ＧＵＩおよび／またはＡＰＩと関連して用いることができることを認識すべきである。加えて、コマンドラインインターフェースは、ハードウェア（例えば、ビデオカード）および／もしくはグラフィックのサポートが限られたディスプレイ（例えば、白黒、ＥＧＡ、ＶＧＡ、ＳＶＧＡ等）、ならびに／または低帯域幅の通信チャネルとの関連で用いることができる。
【００３５】
図７〜８は、主張される主題に従う、手順および／またはフロー図を示す。説明を簡略化するために、手順は、一連の動作として示し記載する。主題のイノベーションが、例示した動作および／または動作の順番により制限されないことは理解および認識されるべきである。例えば、動作は、種々の順番でおよび／または同時に、本明細書に提供および記載しない他の動作と共に、起こり得る。さらに、主張される主題に従う手順を実装するために、例示した全ての動作が必要なわけではない。加えて、当業者は、手順を、代替として、一連の相互に関連する状態として状態図またはイベントを介して表すことができることを理解および認識するであろう。加えて、以下および本明細書全体にわたって開示される手順を、製品に記憶させることが可能であり、そのような手順をコンピューターに移送および転送することを容易にすることができることをさらに認識すべきである。用語「製品」は、本明細書において使用されるとき、あらゆるコンピューター読み取り可能なデバイス、キャリア、または媒体からアクセス可能なコンピュータープログラムを包含することを意図する。
【００３６】
図７は、ＩＲ光の平面に検出される遮断に基づき、データの収集およびインタラクションのために少なくとも１つのレーザーを利用することを容易にする、方法７００を示す。参照符号７０２にて、出射されるＩＲ光の平面における少なくとも１つの遮断の検出に関するデータの一部を受信することができる。例えば、出射されるＩＲ光の平面は、ＩＲ光の平面を伝送可能なあらゆる適切なレーザーコンポーネントから出射することができる。特に、レーザーコンポーネントは、ＩＲ光の平面を提供するためにライン生成（ＬＧ）オプティクを用いることができる。出射されるＩＲ光の平面における少なくとも１つの遮断の検出に関するデータの一部は、例えば、ＩＲ光の反射を検出可能なあらゆる適切なデバイスにより、キャプチャすることができる。
【００３７】
参照符号７０４にて、出射されるＩＲ光の平面における遮断の位置を、計算する。出射されるＩＲ光の平面における遮断の検出に少なくとも部分的に基づき、検出される遮断の対応する位置を計算する。例として、ＩＲ光の平面における遮断に対する検出の点に関するデータを、ＩＲ光の平面により覆われる表面領域に関連して遮断の位置を識別するために分析する。参照符号７０６にて、出射されるＩＲ光の平面における遮断の大きさ、またはＩＲ光の平面における遮断の形のうちの少なくとも１つを、確定する。例えば、ＩＲ光の平面における遮断の大きさを、その正確な描画をディスプレイ上にレンダリングするための大きさと同様に、識別する。したがって、ＩＲ光の平面を遮断する手を、ＩＲ光の平面を遮断する指と比較して、正確に計算および／または確定できる。言い換えれば、ＩＲ光の平面を遮断する物体の位置、大きさ、および形を、決定できる。参照符号７０８にて、出射されるＩＲ光の平面における遮断の位置、大きさ、および形を、ディスプレイへマッピングする。
【００３８】
方法７００は、ＩＲ光を利用するものとして検討されるが、あらゆる適切な光源またはレーザーコンポーネント１０４を用いて、遮断できる光の平面を生成できる（例えば、光の平面における遮断を、動きを検出するために利用できる）ことは認識すべきである。例えば、十分に明るい赤色レーザーおよび／または十分に暗い部屋を用いて、動きの検出を可能にするそのような光源における遮断を検出および／または識別することができる。可視レーザー光または光源は、ユーザーにとっては目をそらすようなものであり得るが、光の平面がほぼ平行でかつ表面より上にある場合、有用なフィードバックをさらに提供することができる。さらに、光の平面は、ディスプレイの表面より上でディスプレイの表面から離すことができる（例えば、レーザー光または光源の波長を問わずに）。例えば、そのような例を、ゲーム、オンラインゲーム、コンソールゲーム等により利用できる。
【００３９】
図８は、アプリケーションフレームワークを用いて、データの収集およびインタラクションに少なくとも１つのＩＲ出射レーザーを利用する方法８００を示す。参照符号８０２にて、ＩＲ光の平面を、表面にほぼ平行に出射する。表面は、制限されないが、机、テーブル、壁、ディスプレイ、テレビ、ラップトップ、床、天井、地面の断面、コンクリートの断面、木片、黒板、投影スクリーン、自動車のフロントガラス、自動車の窓、自動車のダッシュボード、デバイスに関連するほぼ平らな表面、車に関するほぼ平らな表面（例えば、自動車、トラック、オフロードカー（ＡＴＶ）、オートバイ、モペット、スクータ等）等とすることができることを認識すべきである。一般に、主題のイノベーションを種々のありふれた表面で利用して、検出されるタッチイベントを介したデータインタラクションを可能にすることができる。さらに別の例において、システム５００は、表面５０２（例えば、レーザーコンポーネント１０４および／またはＬＧオプティク１０６は、机に埋め込まれる等）、飛行機のトレー、および／またはほぼ平らな他のあらゆる適切な表面に組み込むことができる。
【００４０】
参照符号８０４にて、リアルタイムにおけるＩＲ光の検出の一部に基づいて、ＩＲ光の平面における少なくとも１つの遮断をトラッキングする。言い換えれば、ＩＲ光の平面のリアルタイムな監視により、遮断のトラッキングを供給して、さらにその上、ＩＲ光の平面の連続的なトラッキングに基づいて動きのトラッキングを供給する。参照符号８０６にて、イメージ処理技法を用いて、ＩＲ光の平面における遮断の位置、大きさ、または形のうちの少なくとも１つを計算する。例として、検出され計算された遮断を、対応するディスプレイにレンダリングまたはマッピングすることができて、そのような表示によって、それぞれの位置、大きさ、および／または形により再現される遮断を示すことができる。
【００４１】
参照符号８０８にて、ＩＲ光の平面においてトラッキングされる遮断は、表面コンピューティングソフトウェアの一部により利用して、データインタラクションを強化する。表面コンピューティングソフトウェアは、動きおよび／またはジェスチャに、制限されないが、ズーミング、パニング、ストレッチング等の機能を制御させることを可能にする。さらに、表面コンピューティングアプリケーションは、別個の形または物体（例えば、定義された大きさの検出された矩形上で再生されるビデオ、携帯電話機の検出されたイメージ、検出の特定パターン上に表示されるイメージ等）で認識を行うことができる。一般に、表面コンポーネントは、専門的なコンピューターグラフィックユーザーインターフェース（ＧＵＩ）を用いるソフトウェアおよび／またはハードウェアの一部とすることができる。言い換えれば、ＩＲ光および記載する技術を利用する、ジェスチャ、動き、および／またはタッチイベントを検出する方法は、あらゆる適切な表面コンピューティングソフトウェア、ハードウェア、および／またはそのあらゆる適切な組み合わせと関連して利用できる。
【００４２】
主張される主題の種々の側面を実装するための追加のコンテキストを提供するために、図９から１０および以下の検討では、主題のイノベーションの種々の側面を実装できる適切なコンピューティング環境の簡潔な概要を提供することを意図する。例えば、タッチイベントまたはＩＲ光の平面とのインタラクションを検出するために利用されるイメージ処理コンポーネントは、先行の図面において説明したように、そのような適切なコンピューティング環境において実装できる。主張される主題は、ローカルコンピューターおよび／またはリモートコンピューター上で稼働するコンピュータープログラムのコンピューター実行可能命令の一般的コンテキストで上述したが、当業者は、主題のイノベーションがまた、他のプログラムモジュールとの組み合わせにおいて実装できることを認識するであろう。一般に、プログラムモジュールは、ルーチン、プログラム、コンポーネント、データ構造等を含み、これらは特定のタスクを実行し、および／または特定の抽象データ型を実装する。
【００４３】
さらに、当業者は、本発明の方法が他のコンピューターシステム構成で実践することができて、この構成は、シングルプロセッサまたはマルチプロセッサコンピューターシステム、ミニコンピューター、メインフレームコンピューター、パーソナルコンピューターも同様に、ハンドヘルドコンピューティングデバイス、マイクロプロセッサベースおよび／またはプログラム可能の家庭用電化製品等を含み、それぞれが１つまたは複数の関連するデバイスと動作可能に通信することができるということを認識するであろう。主張される主題の例示される側面はまた、特定のタスクが、通信ネットワークを介してリンクされるリモート処理デバイスにより実行される、分散型コンピューティング環境において、実践することができる。しかし、全てではなくとも、いくつかの主題のイノベーションの側面を、スタンドアロンのコンピューター上で実践できる。分散型コンピューティング環境において、プログラムモジュールは、ローカルおよび／またはリモートのメモリ記憶装置に設置することができる。
【００４４】
図９は、主張される主題がインタラクションすることが可能な、サンプルコンピューティング環境９００の概略ブロック図である。システム９００は、１つまたは複数のクライアント９１０を含む。（複数の）クライアント９１０は、ハードウェアおよび／またはソフトウェア（例えば、スレッド、プロセス、コンピューティングデバイス）とすることができる。さらに、システム９００は、１つまたは複数のサーバー９２０を含む。（複数の）サーバー９２０は、ハードウェアおよび／またはソフトウェア（例えば、スレッド、プロセス、コンピューティングデバイス）とすることができる。サーバー９２０は、例えば、スレッドを格納して、主題のイノベーションを用いることにより変換を実行できる。
【００４５】
クライアント９１０とサーバー９２０との間の１つの可能性のある通信は、２つ以上のコンピュータープロセス間で伝送するのに適したデータパケットの形式とすることができる。システム９００は、（複数の）クライアント９１０と（複数の）サーバー９２０との間の通信を容易にするのに用いることができる通信フレームワーク９４０を含む。（複数の）クライアント９１０は、（複数の）クライアント９１０にローカルな情報を記憶するのに用いることができる１つまたは複数のクライアントデータストア９５０に動作可能に接続される。同様に、（複数の）サーバー９２０は、サーバー９２０にローカルな情報を記憶するのに用いることができる１つまたは複数のサーバーデータストア９３０に動作可能に接続される。
【００４６】
図１０を参照すると、主張される主題の種々の側面を実装するための例示の環境１０００は、コンピューター１０１２を含む。コンピューター１０１２は、処理装置１０１４、システムメモリ１０１６、およびシステムバス１０１８を含む。システムバス１０１８は、制限されないが、システムメモリ１０１６を含むシステムコンポーネントを処理装置１０１４に連結する。処理装置１０１４は、種々の利用可能なプロセッサのうちのどれでもであるとすることができる。デュアルマイクロプロセッサおよび他のマルチプロセッサアーキテクチャもまた、処理装置１０１４として用いることができる。
【００４７】
システムバス１０１８は、制限されないが、メモリバスもしくはメモリコントローラ、周辺機器用バスもしくは外部バス、ならびに／またはＩＳＡ（Ｉｎｄｕｓｔｒｉａｌ  Ｓｔａｎｄａｒｄ  Ａｒｃｈｉｔｅｃｔｕｒｅ）、ＭＳＡ（Ｍｉｃｒｏ−Ｃｈａｎｎｅｌ  Ａｒｃｈｉｔｅｃｔｕｒｅ）、ＥＩＳＡ（Ｅｘｔｅｎｄｅｄ  ＩＳＡ）、ＩＤＥ（Ｉｎｔｅｌｌｉｇｅｎｔ  Ｄｒｉｖｅ  Ｅｌｅｃｔｒｏｎｉｃｓ）、ＶＬＢ（ＶＥＳＡ  Ｌｏｃａｌ  Ｂｕｓ）、ＰＣＩ（Ｐｅｒｉｐｈｅｒａｌ  Ｃｏｍｐｏｎｅｎｔ  Ｉｎｔｅｒｃｏｎｎｅｃｔ）、カードバス、ＵＳＢ（Ｕｎｉｖｅｒｓａｌ  Ｓｅｒｉａｌ  Ｂｕｓ）、ＡＧＰ（Ａｄｖａｎｃｅｄ  Ｇｒａｐｈｉｃｓ  Ｐｏｒｔ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ  ｂｕｓ）、Ｆｉｒｅｗｉｒｅ（ＩＥＥＥ１３９４）、およびＳＣＳＩ（Ｓｍａｌｌ  Ｃｏｍｐｕｔｅｒ  Ｓｙｓｔｅｍｓ  Ｉｎｔｅｒｆａｃｅ）を含むあらゆる様々な利用可能なバスアーキテクチャを使用するローカルバスを含むいくつかの種類のバス構造のうちのどれでもよいとすることができる。
【００４８】
システムメモリ１０１６は、揮発性メモリ１０２０および不揮発性メモリ１０２２を含む。基本入出力システム（ＢＩＯＳ）は、起動時等に、コンピューター１０１２における要素間で情報を転送する基本ルーチンを含むのもで、不揮発性メモリ１０２２に記憶される。制限ではなく例示の目的で、不揮発性メモリ１０２２は、ＲＯＭ（ｒｅａｄ  ｏｎｌｙ  ｍｅｍｏｒｙ）、ＰＲＯＭ（ｐｒｏｇｒａｍｍａｂｌｅ  ＲＯＭ）、ＥＰＲＯＭ（ｅｌｅｃｔｒｉｃａｌｌｙ  ｐｒｏｇｒａｍｍａｂｌｅ  ＲＯＭ）、ＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）、またはフラッシュメモリを含むことができる。揮発性メモリ１０２０は、ＲＡＭ（ｒａｎｄｏｍ  ａｃｃｅｓｓ  ｍｅｍｏｒｙ）を含み、外部キャッシュメモリとして動作する。実例として制限としてではなく、ＲＡＭは、ＳＲＡＭ（ｓｔａｔｉｃ  ＲＡＭ）、ＤＲＡＭ（ｄｙｎａｍｉｃ  ＲＡＭ）、ＳＤＲＡＭ（ｓｙｎｃｈｒｏｎｏｕｓ  ＤＲＡＭ）、ＤＤＲ  ＳＤＲＡＭ（ｄｏｕｂｌｅ  ｄａｔａ  ｒａｔｅ  ＳＤＲＡＭ）、ＥＳＤＲＡＭ（ｅｎｈａｎｃｅｄ  ＳＤＲＡＭ）、ＳＬＤＲＡＭ（Ｓｙｎｃｈｌｉｎｋ  ＤＲＡＭ）、ＲＤＲＡＭ（Ｒａｍｂｕｓ  ｄｉｒｅｃｔ  ＲＡＭ）、ＤＲＤＲＡＭ（ｄｉｒｅｃｔ  Ｒａｍｂｕｓ  ｄｙｎａｍｉｃ  ＲＡＭ）、およびＲＤＲＡＭ（Ｒａｍｂｕｓ  ｄｙｎａｍｉｃ  ＲＡＭ）等の多くの形式で利用できる。
【００４９】
さらにコンピューター１０１２は、着脱可能／着脱不能な、揮発性／不揮発性のコンピューター記憶媒体を含む。図１０で、例えば、ディスク記憶装置１０２４を示す。ディスク記憶装置１０２４は、制限されないが、磁気ディスクドライブ、フロッピーディスクドライブ、テープドライブ、Ｊａｚドライブ、Ｚｉｐドライブ、ＬＳ−１００ドライブ、フラッシュメモリカード、またはメモリスティック等のデバイスが含む。加えて、ディスク記憶装置１０２４は、制限されないが、ＣＤ−ＲＯＭ（ｃｏｍｐａｃｔ  ｄｉｓｋ  ＲＯＭ）デバイス、ＣＤ−Ｒ（ＣＤ  ｒｅｃｏｒｄａｂｌｅ）ドライブ、ＣＤ−ＲＷ（ＣＤ  ｒｅｗｒｉｔａｂｌｅ）ドライブ、またはＤＶＤ−ＲＯＭ（ｄｉｇｉｔａｌ  ｖｅｒｓａｔｉｌｅ  ｄｉｓｋ  ＲＯＭ）ドライブ等の光ディスクドライブを含む他の記憶媒体とは別に、またはこれと組み合わせて記憶媒体を含むことができる。ディスク記憶装置１０２４とシステムバス１０１８の接続を容易にするために、通常、インターフェース１０２６等の着脱可能または着脱不能なインターフェースが使用される。
【００５０】
図１０は、ユーザーと、適切な動作環境１０００において説明される基本的なコンピューターリソースとの間を媒介するものとして動作するソフトウェアを説明することを認識すべきである。そのようなソフトウェアは、オペレーティングシステム１０２８を含む。オペレーティングシステム１０２８は、ディスク記憶装置１０２４上に記憶することができ、コンピューターシステム１０１２のリソースを制御して割り当てる動作を行う。システムアプリケーション１０３０は、システムメモリ１０１６内またはディスク記憶装置１０２４上に記憶されるプログラムモジュール１０３２およびプログラムデータ１０３４を介する、オペレーティングシステム１０２８によるリソースの管理を活用する。主張される主題は、種々のオペレーティングシステムまたはオペレーティングシステムの組み合わせと共に実装できることを認識すべきである。
【００５１】
ユーザーは、（複数の）入力デバイス１０３６を介してコマンドまたは情報をコンピューター１０１２に入力する。入力デバイス１０３６は、制限されないが、マウス、トラックボール、スタイラスペン、タッチパッド、キーボード、マイク、ジョイスティック、ゲームパッド、パラボラアンテナ、スキャナー、テレビチューナカード、デジタルカメラ、デジタルビデオカメラ、ウェブカメラ等のポインティングデバイスを含む。これらおよび他の入力デバイスは、（複数の）インターフェースポート１０３８を介してシステムバス１０１８を通して、処理装置１０１４に接続する。（複数の）インターフェースポート１０３８は、例えば、シリアルポート、パラレルポート、ゲームポート、およびＵＳＢ（ｕｎｉｖｅｒｓａｌ  ｓｅｒｉａｌ  ｂｕｓ）を含む。（複数の）出力デバイス１０４０は、（複数の）入力デバイス１０３６と同じタイプのポートをいくつか使用する。したがって、例えば、ＵＳＢポートを使用して、コンピューター１０１２に入力を与えて、コンピューター１０１２から出力デバイス１０４０へ情報を出力することができる。出力アダプタ１０４２は、他の出力デバイス１０４０の中でも、特別なアダプタを必要とする、モニタ、スピーカ、およびプリンタ等のいくつかの出力デバイス１０４０があることを例示するために与えている。出力アダプタ１０４２は、制限ではなく例示の目的で、出力デバイス１０４０とシステムバス１０１８との間の接続手段を提供するビデオカードおよびサウンドカードを含む。他のデバイスおよび／またはデバイスのシステムが、（複数の）リモートコンピューター１０４４等の入力および出力両方の能力を提供することに留意すべきである。
【００５２】
コンピューター１０１２は、（複数の）リモートコンピューター１０４４等の１つまたは複数のリモートコンピューターへの論理接続を使用して、ネットワーク化された環境で動作する。（複数の）リモートコンピューター１０４４は、パーソナルコンピューター、サーバー、ルータ、ネットワークＰＣ、ワークステーション、マイクロプロセッサベースの電化製品、ピアデバイス、または他の共有のネットワークノード、等とすることができて、通常、コンピューター１０１２に関して記載した要素のうちの多くのまたは全てを含む。簡潔にする目的で、メモリ記憶装置１０４６のみを、（複数の）リモートコンピューター１０４４と共に示してある。（複数の）リモートコンピューター１０４４は、コンピューター１０１２に、ネットワークインターフェース１０４８を通して論理的に接続され、そして、通信接続１０５０を介して物理的に接続される。ネットワークインターフェース１０４８は、ローカルエリアネットワーク（ＬＡＮ）およびワイドエリアネットワーク（ＷＡＮ）等の、有線および／または無線の通信ネットワークを包含する。ＬＡＮ技術は、ＦＤＤＩ（Ｆｉｂｅｒ  Ｄｉｓｔｒｉｂｕｔｅｄ  Ｄａｔａ  Ｉｎｔｅｒｆａｃｅ（光ファイバー分散データインタフェース））、ＣＤＤＩ（Ｃｏｐｐｅｒ  Ｄｉｓｔｒｉｂｕｔｅｄ  Ｄａｔａ  Ｉｎｔｅｒｆａｃｅ）、イーサネット（登録商標）、トークンリング等を含む。ＷＡＮ技術は、制限されないが、ポイントツーポイント接続、ＩＳＤＮ（Ｉｎｔｅｇｒａｔｅｄ  Ｓｅｒｖｉｃｅｓ  Ｄｉｇｉｔａｌ  Ｎｅｔｗｏｒｋ（総合デジタルサービス網））およびその上の種々のもの等の回路交換網、パケット交換網、ならびに、ＤＳＬ（Ｄｉｇｉｔａｌ  Ｓｕｂｓｃｒｉｂｅｒ  Ｌｉｎｅ）を含む。
【００５３】
（複数の）通信接続１０５０とは、ネットワークインターフェース１０４８をバス１０１８に接続するために用いるハードウェア／ソフトウェアをいう。通信接続１０５０を、明確に例示するためにコンピューター１０１２の内部に示してあるが、コンピューター１０１２の外部にすることもできる。ネットワークインターフェース１０４８への接続に必要なハードウェア／ソフトウェアは、例えば、単に例示の目的で、通常の電話回線用のモデム、ケーブルモデムおよびＤＳＬモデム、ＩＳＤＮアダプタ、ならびにイーサネットカードを含むモデム等の内部技術および外部技術を含む。
【００５４】
上記のものは、主題のイノベーションの例を含む。もちろん、主張される主題を記載するために、コンポーネントまたは手順の全ての考え得る組み合わせを記載することは不可能であるが、当業者は、主題のイノベーションの多くのさらなる組み合わせおよび置換が可能であることを認識することができであろう。したがって、主張される主題は、添付の請求項の精神および範囲内にある全てのそのような代替、修正、および変形を包含することを意図する。
【００５５】
特に、また、上記のコンポーネント、デバイス、回路、システム、等により実行される種々の機能については、そのようなコンポーネントの記載に使用される用語（「手段」への参照を含み）は、特に示さない限り、記載されるコンポーネント（例えば、機能的に等価なもの）の特定の機能を実行し、開示される構造とは構造的に等価でない場合でも、本明細書に記載される主張される主題の例示の側面における機能を実行するあらゆるコンポーネントに対応することを意図する。この点において、イノベーションは、システムと、同様に、主張される主題の種々の方法の動作および／またはイベントを実行するためのコンピューター実行可能命令を有するコンピューター読み取り可能な媒体とを含むことをさらに認識すべきである。
【００５６】
本イノベーションを実装する複数の方法、例えば、アプリケーションおよびサービスに本発明の通知技術を使用させることを可能にする、適切なＡＰＩ、ツールキット、ドライバコード、オペレーティングシステム、制御、スタンドアロンまたはダウンロード可能なソフトウェアオブジェクト、等がある。主張される主題では、ＡＰＩ（または他のソフトウェアオブジェクト）の観点から、また、本発明に従う通知技術に従って動作するソフトウェアオブジェクトまたはハードウェアオブジェクトの観点からの使用を意図する。したがって、本明細書に記載されるイノベーションの種々の実装は、全体としてハードウェアに、部分的にハードウェアに、および部分的にソフトウェアに、ソフトウェアも同様においてである側面を有することができる。
【００５７】
前述のシステムを、いくつかのコンポーネント間のインタラクションに対して記載した。そのようなシステムおよびコンポーネントが、コンポーネントもしくは特定のサブコンポーネント、特定のサブコンポーネントもしくはサブコンポーネントのいくつか、および／または追加のコンポーネント、ならびに、これらを種々に置換したものおよび組み合わせたものを含むことができることは認識すべきである。サブコンポーネントはまた、親のコンポーネント内に（階層的に）含まれるよりもむしろ、他のコンポーネントと通信可能に連結されるコンポーネントとして実装することができる。加えて、１つまたは複数のコンポーネントを、集約された機能性を提供する単一のコンポーネントにまとめるか、またはいくつかの分離したサブコンポーネントに分けることができて、１つまたは複数のあらゆる中間層、例えば管理層を与えて、統合された機能性を提供するために、そのようなサブコンポーネントに通信可能に連結させることができることに留意すべきである。本明細書に記載するあらゆるコンポーネントはまた、本明細書に特に記載しないが一般に当業者には既知である１つまたは複数の他のコンポーネントとインタラクションを行うことができる。
【００５８】
加えて、主題のイノベーションの特定の特徴が、いくつかの実装のうちのただ１つに対して開示される一方で、そのような特徴は、あらゆる所定のまたは特定のアプリケーションに望ましく有利であろう他の実装の１つまたは複数の他の特徴と組み合わせることができる。さらに、用語「含まれる」、「含む」、「有する」、「含有する」、これらの変形、および他の同様の単語は、発明を実施するための形態または請求項において使用される範囲において、これらの用語は、あらゆる追加的なまたは他の要素を除外することなく、オープンな移行語としての用語「備える」と同様に包括的であることを意図する。
【図１】
0005529118.tif 000002
【図２】
0005529118.tif 000003
【図３】
0005529118.tif 000004
【図４】
0005529118.tif 000005
【図５】
0005529118.tif 000006
【図６】
0005529118.tif 000007
【図７】
0005529118.tif 000008
【図８】
0005529118.tif 000009
【図９】
0005529118.tif 000010
【図１０】
0005529118.tif 000011